(57)【特許請求の範囲】
【請求項１】
複数の誘電体層が積層された直方体状の積層体と、
前記積層体の側面のうち、前記誘電体層の積層方向および前記積層体の長手方向に沿って伸びる第１の側面に配置された第１の端子電極と、
前記積層体の側面のうち、前記第１の側面と対向する第２の側面に配置された第２の端子電極と、
前記積層体の側面のうち、前記誘電体層の積層方向および前記積層体の短手方向に沿って伸びる第３の側面に配置された第１の接続導体と、
前記積層体の内部に配置され、前記第１及び第３の側面に引き出されて前記第１の端子電極及び前記第１の接続導体に接続された第１の部分を有する第１の内部導体と、
前記積層体の内部において前記第１の内部導体と同一の層に配置され、前記第２の側面に引き出されて前記第２の端子電極に接続された引き出し部と、当該引き出し部に連結された主電極部とを有する第２の内部導体と、
前記積層体の内部において前記誘電体層を介して前記第２の内部導体と隣り合うように配置され、前記第３の側面に引き出されて前記第１の接続導体に接続された引き出し部と、当該引き出し部に連結された主電極部とを有する第３の内部導体と、
前記積層体の内部において、前記第３の内部導体から見たときに前記第２の内部導体とは反対側に位置すると共に前記第３の内部導体と前記誘電体層を介して隣り合うように配置され、前記第２の側面に引き出されて前記第２の端子電極に接続された引き出し部と、当該引き出し部に連結された主電極部とを有する第４の内部導体と、
を備え、
前記誘電体層の積層方向から見たときに、前記第３の内部導体の前記主電極部は前記第２及び第４の内部導体の前記主電極部と重なり、
前記第１の部分の幅は、前記積層体の長手方向での前記第２の内部導体の前記主電極部の長さ及び前記積層体の短手方向での前記第２の内部導体の前記主電極部の長さよりも小さいことを特徴とする積層コンデンサ。
【請求項２】
前記第３の内部導体において、前記引き出し部の幅は、前記積層体の長手方向での前記主電極部の長さ及び前記積層体の短手方向での前記主電極部の長さよりも小さいことを特徴とする請求項１記載の積層コンデンサ。
【請求項３】
前記第１の内部導体は、前記第１の側面に沿って伸びると共に側部が前記第１の側面から露出した第２の部分を有し、前記第１の部分と前記第２の部分とは連結されていることを特徴とする請求項１又は２記載の積層コンデンサ。
【請求項４】
前記積層体の側面のうち、前記第３の側面と対向する第４の側面に配置された第２の接続導体を更に備え、
前記第１の内部導体は、前記第１及び第４の側面に引き出されて前記第１の端子電極及び前記第２の接続導体に接続された第３の部分を更に有し、
前記第３の内部導体は、前記第４の側面に引き出されて前記第２の接続導体に接続された他の引き出し部を更に有し、
前記第３の部分の幅は、前記積層体の長手方向での前記第２の内部導体の長さ及び前記積層体の短手方向での前記第２の内部導体の長さよりも小さいことを特徴とする請求項１〜３のいずれか一項記載の積層コンデンサ。
【請求項５】
前記第２の内部導体を複数備え、複数の前記第２の内部導体のうち少なくとも２つは大きさが異なることを特徴とする請求項１〜４のいずれか一項記載の積層コンデンサ。
【請求項６】
前記第４の内部導体を複数備え、複数の前記第４の内部導体のうち少なくとも２つは大きさが異なることを特徴とする請求項１〜５のいずれか一項記載の積層コンデンサ。
【請求項７】
前記積層体の内部において前記第４の内部導体と同一の層に配置され、前記第１及び第３の側面に引き出されて前記第１の端子電極及び前記第１の接続導体に接続された第４の部分を有する第５の内部導体を更に備え、
前記第５の内部導体において、前記第４の部分の幅は、前記積層体の長手方向での前記第４の内部導体の長さ及び前記積層体の短手方向での前記第４の内部導体の長さよりも小さいことを特徴とする請求項１〜６のいずれか一項記載の積層コンデンサ。
【発明の詳細な説明】
【技術分野】
【０００１】
本発明は、積層コンデンサに関する。
【背景技術】
【０００２】
この種の積層コンデンサとして、互いに対向する長方形状の一対の主面と、一対の主面間を連結するように一対の主面の長手方向に伸び且つ互いに対向する一対の側面と、一対の主面間を連結するように一対の主面の短手方向に伸び且つ互いに対向する一対の端面とを有する直方体状のコンデンサ素体と、一対の側面にそれぞれ配置される複数の端子電極と、を備え、コンデンサ素体が、一対の主面の対向方向に積層された複数の誘電体層と、複数の誘電体層のうち少なくとも一つの誘電体層を挟んで対向するように交互に配置されると共に対応する端子電極に接続される複数の内部導体と、を有するものが知られている（例えば、特許文献１参照）。特許文献１に記載された積層コンデンサでは、一対の側面にそれぞれ配置される端子電極の間隔が短いことから、該積層コンデンサにおける電流経路が比較的短くなり、等価直列インダクタンス（ＥＳＬ）を小さくすることが可能となる。
【特許文献１】特開平０９−１４８１７４号公報
【発明の開示】
【発明が解決しようとする課題】
【０００３】
ところで、積層コンデンサにあっては、その用途により、等価直列抵抗（ＥＳＲ）を大きくしたいという更なる要求がある。例えば、積層コンデンサをデカップリングコンデンサとして用いる場合には、以下のような要求がある。デジタル電子機器に搭載されている中央処理装置（ＣＰＵ）に供給用の電源においては低電圧化が進む一方で負荷電流は増大している。負荷電流が急激に変化すると、動作電源電圧が不安定になりやすい。そこで、この電源電圧を安定させ、かつノイズを低減させるため、デカップリングコンデンサと呼ばれる積層コンデンサを電源に接続し、負荷電流の過渡的な変動時にこの積層コンデンサからＣＰＵに電流を供給して電源電圧の変動を抑えノイズを低減するようにしている。
【０００４】
近年、ＣＰＵの動作周波数の更なる高周波数化に伴って、負荷電流は高速でより大きなものとなっており、デカップリングコンデンサに用いられる積層コンデンサについては、充分な静電容量を確保しつつＥＳＲを大きくしたいという要求がある。
【０００５】
しかしながら、特許文献１に記載された積層コンデンサでは、ＥＳＲを大きくするための検討は行っていない。
【０００６】
本発明は、充分な静電容量を確保しつつ、ＥＳＬの増加を抑え且つＥＳＲを大きくすることが可能な積層コンデンサを提供することを課題とする。
【課題を解決するための手段】
【０００７】
本発明の積層コンデンサは、複数の誘電体層が積層された直方体状の積層体と、積層体の側面のうち、誘電体層の積層方向および積層体の長手方向に沿って伸びる第１の側面に配置された第１の端子電極と、積層体の側面のうち、第１の側面と対向する第２の側面に配置された第２の端子電極と、積層体の側面のうち、誘電体層の積層方向および積層体の短手方向に沿って伸びる第３の側面に配置された第１の接続導体と、積層体の内部に配置され、第１及び第３の側面に引き出されて第１の端子電極及び第１の接続導体に接続された第１の部分を有する第１の内部導体と、積層体の内部において第１の内部導体と同一の層に配置され、第２の側面に引き出されて第２の端子電極に接続された引き出し部と、当該引き出し部に連結された主電極部とを有する第２の内部導体と、積層体の内部において誘電体層を介して第２の内部導体と隣り合うように配置され、第３の側面に引き出されて第１の接続導体に接続された引き出し部と、当該引き出し部に連結された主電極部とを有する第３の内部導体と、積層体の内部において、第３の内部導体から見たときに第２の内部導体とは反対側に位置すると共に第３の内部導体と誘電体層を介して隣り合うように配置され、第２の側面に引き出されて第２の端子電極に接続された引き出し部と、当該引き出し部に連結された主電極部とを有する第４の内部導体と、を備え、誘電体層の積層方向から見たときに、第３の内部導体の主電極部は第２及び第４の内部導体の主電極部と重なり、第１の部分の幅は、積層体の長手方向での第２の内部導体の主電極部の長さ及び積層体の短手方向での第２の内部導体の主電極部の長さよりも小さいことを特徴とする。
【０００８】
本発明に係る積層コンデンサでは、第１の内部導体の第１の部分の幅を狭めている。これにより第１の内部導体に細い部分が形成されることになるため、第１の内部導体の抵抗値が増し、積層コンデンサのＥＳＲを高めることができる。第３の内部導体の主電極部と第２及び第４の内部導体の主電極部とが重なるので、第３の内部導体と第２の内部導体との間に静電容量を発生させると共に、第３の内部導体と第４の内部導体との間にも静電容量を発生させることができる。よって静電容量成分を形成する領域が複数形成されることになるため、積層コンデンサの静電容量を充分に確保することが可能となる。第２の内部導体を第１の内部導体と同一の層に配置しているので、積層数を増やすことなく、高ＥＳＲ化及び静電容量の確保を実現することができる。第２の端子電極を第２の側面に配置しているので、第２の端子電極を例えば第３の側面に配置した場合と比べて、第２の端子電極から第２及び第４の内部導体の端部までの長さを短くすることができる。これにより第２の端子電極から第２及び第４の内部導体の端部に至る電流経路が短くなるので、低ＥＳＬ化を図ることができる。
【０００９】
好ましくは、第３の内部導体において、引き出し部の幅は、積層体の長手方向での主電極部の長さ及び積層体の短手方向での主電極部の長さよりも小さい。
【００１０】
この場合、第３の内部導体の電流経路上において該経路の幅が絞られる箇所が形成されることになるため、積層コンデンサのＥＳＲを更に高めることができる。
【００１１】
好ましくは、第１の内部導体は、第１の側面に沿って伸びると共に側部が第１の側面から露出した第２の部分を有し、第１の部分と第２の部分とは連結されている。
【００１２】
この場合、第１の内部導体を第１の側面から多く露出させることができるので、第１の内部導体と第１の側面に配置された第１の端子電極との接触面積を増やすことができる。その結果、第１の内部導体と第１の端子電極との間における接続不良を防止することができる。
【００１３】
好ましくは、積層体の側面のうち、第３の側面と対向する第４の側面に配置された第２の接続導体を更に備え、第１の内部導体は、第１及び第４の側面に引き出されて第１の端子電極及び第２の接続導体に接続された第３の部分を更に有し、第３の内部導体は、第４の側面に引き出されて第２の接続導体に接続された他の引き出し部を更に有し、第３の部分の幅は、積層体の長手方向での第２の内部導体の長さ及び積層体の短手方向での第２の内部導体の長さよりも小さい。
【００１４】
この場合、第１の内部導体では第１の部分に加えて第３の部分も細くなる。よって、第１の内部導体の抵抗値が更に増すため、積層コンデンサのＥＳＲを更に高めることができる。
【００１５】
好ましくは、第２の内部導体を複数備え、複数の第２の内部導体のうち少なくとも２つは大きさが異なる。
【００１６】
この場合、第２の内部導体と第３の内部導体とにより、静電容量成分を形成する領域が複数形成されることになる。第２の内部導体のうち少なくとも２つは大きさが異なるので、複数形成された領域のうち、少なくとも２つについては静電容量値が異なることになる。これにより積層コンデンサは少なくとも２つの共振周波数を持つことになるため、広帯域にわたってインピーダンスを低い積層コンデンサを得ることができる。このような積層コンデンサを用いることにより、広い周波数帯域でノイズを効果的に低減することが可能となる。
【００１７】
好ましくは、第４の内部導体を複数備え、複数の第４の内部導体のうち少なくとも２つは大きさが異なる。
【００１８】
この場合、第３の内部導体と第４の内部導体とにより、静電容量成分を形成する領域が複数形成されることになる。第４の内部導体のうち少なくとも２つは大きさが異なるので、複数形成された領域のうち、少なくとも２つについては静電容量値が異なることになる。その結果、積層コンデンサは少なくとも２つの共振周波数を持つことになるため、広帯域にわたってインピーダンスが低い積層コンデンサを得ることができる。
【００１９】
好ましくは、積層体の内部において第４の内部導体と同一の層に配置され、第１及び第３の側面に引き出されて第１の端子電極及び第１の接続導体に接続された第４の部分を有する第５の内部導体を更に備え、第５の内部導体において、第４の部分の幅は、積層体の長手方向での第４の内部導体の長さ及び積層体の短手方向での第４の内部導体の長さよりも小さい。
【００２０】
この場合、第５の内部導体に細い部分が形成されることとなるため、積層コンデンサのＥＳＲを更に高めることができる。第５の内部導体を第４の電極と同一の層に配置するので、積層数を増やすことなくＥＳＲを高めることが可能となる。
【発明の効果】
【００２１】
本発明によれば、充分な静電容量を確保しつつ、ＥＳＬの増加を抑え且つＥＳＲを大きくすることが可能な積層コンデンサを提供することができる。
【発明を実施するための最良の形態】
【００２２】
以下、添付図面を参照して、本発明の好適な実施形態について詳細に説明する。説明において、同一要素又は同一機能を有する要素には、同一符号を用いることとし、重複する説明は省略する。
（第１実施形態）
【００２３】
図１は、第１実施形態に係る積層コンデンサの斜視図である。図２は、第１実施形態に係る積層コンデンサが備える積層体の分解斜視図である。図３は、第１実施形態に係る積層コンデンサが備える積層体の断面図である。図４は、第１実施形態に係る積層コンデンサの等価回路図である。
【００２４】
積層コンデンサ１は、図１に示されるように、積層体４と、積層体４の側面に配置された第１及び第２の端子電極５，６と、積層体４の側面に配置された第１及び第２の接続導体７，８とを備えている。
【００２５】
積層体４は直方体状であって、側面４ａ〜４ｆを有している。側面４ａは側面４ｂと対向し、側面４ｃ（第２の側面）は側面４ｄ（第１の側面）と対向し、側面４ｅ（第３の側面）は側面４ｆ（第４の側面）と対向している。側面４ａ，４ｂは長方形状を呈しており、側面４ｃ，４ｄは、側面４ａ，４ｂを連結するように側面４ａ，４ｂの長辺方向（積層体の長手方向）に沿って伸びている。側面４ｅ，４ｆは、側面４ａ，４ｂを連結するように側面４ａ，４ｂの短辺方向（積層体の短手方向）に沿って伸びている。
【００２６】
第１の端子電極５は、積層体４の側面４ｄを覆うように配置されている。第２の端子電極６は、積層体４の側面４ｃを覆うように配置されている。第１の接続導体７は、積層体４の側面４ｅの略中心に配置され、両端部が側面４ａ，４ｂにかかっている。第２の接続導体８は、積層体４の側面４ｆの略中心に配置され、両端部が側面４ａ，４ｂにかかっている。第１及び第２の端子電極５，６と第１及び第２の接続導体７，８とは、例えば、導電性金属粉末及びガラスフリットを含む導電性ペーストを積層体４の対応する側面に付与し、焼き付けることによって形成される。なお必要に応じて、焼き付けられた電極の上にめっき層が形成されることもある。
【００２７】
積層体４は、図２に示されるように、複数（本実施形態では４層）の誘電体層９が積層されたものである。先述した積層体４の側面４ｃ〜４ｆは誘電体層９の積層方向に沿って伸びる面であり、側面４ａ，４ｂは誘電体層９の積層方向と直交する方向に伸びる面である。各誘電体層９は、例えば誘電体セラミックを含むセラミックグリーンシートの焼結体から構成される。実際の積層コンデンサ１において、各誘電体層９は、誘電体層９の間の境界が視認できない程度に一体化されている。
【００２８】
積層コンデンサ１は、積層体４内に第１の内部導体１０、第２の内部導体２０、第３の内部導体３０、及び第４の内部導体４０を備えている。第１〜第４の内部導体１０，２０，３０，４０は、導電性ペーストの焼結体から構成される。
【００２９】
第１の内部導体１０は、第１の部分１２と、第２の部分１１と、第３の部分１３とからなっている。
【００３０】
第１の部分１２は、積層体４の側面４ｄ，４ｅに引き出されて第１の端子電極５及び第１の接続導体７に接続されている。より具体的には、第１の部分１２はＬ字状であり同一の幅（太さ）をもって伸びている。第１の部分１２の一端部の端面は、側面４ｄから露出して第１の端子電極５に電気的且つ物理的に接続されている。第１の部分１２の他端部の端面は、側面４ｅから露出して第１の接続導体７に電気的且つ物理的に接続されている。第１の部分１２の幅Ｗ１は、積層体４の側面４ａ，４ｂの長辺方向における第２の内部導体２０の主電極部２１の長さＷ３よりも小さくなっている。また、第１の部分１２の幅Ｗ１は、積層体４の側面４ａ，４ｂの短辺方向における第２の内部導体２０の主電極部２１の長さＷ４よりも小さくなっている。
【００３１】
第２の部分１１は、積層体４の側面４ｄに沿って伸びている。第２の部分１１の側部は側面４ｄから露出している。第２の部分１１の一端部は第１の部分１２に接続され、第２の部分１１の他端部は第３の部分１３に電気的且つ物理的に接続されている。
【００３２】
第３の部分１３は、積層体４の側面４ｄ，４ｆに引き出されて第１の端子電極５及び第２の接続導体８に接続されている。より具体的には、第３の部分１３はＬ字状であり同一の幅（太さ）をもって伸びている。第３の部分１３の一端部の端面は、側面４ｄから露出して第１の端子電極５に電気的且つ物理的に接続されている。第３の部分１３の他端部の端面は、側面４ｆから露出して第２の接続導体８に電気的且つ物理的に接続されている。第３の部分１３の幅Ｗ２は、積層体４の側面４ａ，４ｂの長辺方向における第２の内部導体２０の主電極部２１の長さＷ３よりも小さくなっている。また、第３の部分１３の幅Ｗ２は、積層体４の側面４ａ，４ｂの短辺方向における第２の内部導体２０の主電極部２１の長さＷ４よりも小さくなっている。
【００３３】
第２の内部導体２０は、第１の内部導体１０と同一の層に配置されている。第２の内部導体２０は、主電極部２１と引き出し部２２とからなっている。
【００３４】
主電極部２１は、誘電体層９を挟んで第３の内部導体３０の主電極部３１と重なり合う部分である。主電極部２１と主電極部３１とが誘電体層９を挟んで重なり合うことにより、静電容量成分が形成される。主電極部２１は、側面４ａ，４ｂの長辺方向及び側面４ａ，４ｂの短辺方向に沿って広がっている。
【００３５】
引き出し部２２は、主電極部２１に連結されている。また引き出し部２２は、積層体４の側面４ｃに引き出されて第２の端子電極６に接続されている。より具体的には、引き出し部２２は主電極部２１から側面４ｃに向かって伸び、引き出し部２２の端面は側面４ｃから露出して第２の端子電極６に電気的且つ物理的に接続されている。
【００３６】
第３の内部導体３０は、誘電体層９を介して第２の内部導体２０と隣り合うように配置されている。第３の内部導体３０は、主電極部３１と引き出し部３２，３３とからなっている。
【００３７】
主電極部３１は、誘電体層９を挟んで第２の内部導体２０の主電極部２１と重なり合う部分である。また主電極部３１は、誘電体層９を挟んで第４の内部導体４０の主電極部４１とも重なり合う。主電極部３１と主電極部４１とが誘電体層９を挟んで重なり合うことにより静電容量成分が形成される。主電極部３１は、側面４ａ，４ｂの長辺方向及び側面４ａ，４ｂの短辺方向に沿って広がっている。
【００３８】
引き出し部３２は、主電極部３１に連結されている。また引き出し部３２は、積層体４の側面４ｅに引き出されて第１の接続導体７に接続されている。より具体的には、引き出し部３２は主電極部３１から側面４ｅに向かって伸び、引き出し部３２の端面は側面４ｅから露出して第１の接続導体７に電気的且つ物理的に接続されている。
【００３９】
引き出し部３３は、主電極部３１に連結されている。また引き出し部３３は、積層体４の側面４ｆに引き出されて第２の接続導体８に接続されている。より具体的には、引き出し部３３は主電極部３１から側面４ｆに向かって伸び、引き出し部３３の端面は側面４ｆから露出して第２の接続導体８に電気的且つ物理的に接続されている。
【００４０】
引き出し部３２，３３が伸びる方向に直交する方向での引き出し部３２，３３の幅Ｗ５，Ｗ６は、側面４ａ，４ｂの長辺方向での主電極部３１の長さＷ７及び側面４ａ，４ｂの短辺方向での主電極部３１の長さＷ８よりも小さくなっている。
【００４１】
第４の内部導体４０は、第３の内部導体３０から見たときに、第２の内部導体２０とは反対側に配置されている。第４の内部導体４０は、誘電体層９を介して第３の内部導体３０と隣り合うように配置されている。第４の内部導体４０は、主電極部４１と引き出し部４２とからなっている。
【００４２】
主電極部４１は、誘電体層９を挟んで第３の内部導体３０の主電極部３１と重なり合う部分である。引き出し部４２は、主電極部４１に連結されると共に、側面４ｃに引き出されている。より具体的には、引き出し部４２は主電極部４１から側面４ｃに向かって伸び、引き出し部４２の端面は側面４ｃから露出して第２の端子電極６に電気的且つ物理的に接続されている。主電極部４１は、側面４ａ，４ｂの長辺方向及び側面４ａ，４ｂの短辺方向に沿って広がっている。
【００４３】
図４に積層コンデンサ１の等価回路図を示す。第１の内部導体１０の第１の部分１２と第２の部分１１とによって抵抗Ｒ１が形成される。第１の内部導体１０の第２の部分１１と第３の部分１３とによって抵抗Ｒ２が形成される。第２の内部導体２０の主電極部２１と第３の内部導体３０の主電極部３１とによって形成される静電容量成分と、第３の内部導体３０の主電極部３１と第４の内部導体４０の主電極部４１によって形成される静電容量成分とによって、静電容量成分Ｃ１が形成される。また一般的に、コンデンサには残留インダクタンスと残留抵抗が存在するため、これらによってインダクタンスＬ１及び抵抗Ｒ３が形成される。
【００４４】
以上述べた構成を有する第１実施形態に係る積層コンデンサ１によれば、抵抗Ｒ２を形成する第１の内部導体１０の幅Ｗ１，Ｗ２が第２の内部導体２０の長さＷ３，Ｗ４よりも小さくなっている。よって第１の内部導体１０に細い部分が形成されることになるため、抵抗Ｒ２の値が増し、積層コンデンサのＥＳＲを高めることができる。また、ＥＳＲが高まることによって、共振周波数での急激なインピーダンスの低下が防止されるため、広帯域化が可能となる。静電容量成分Ｃ１は、第３の内部導体３０と第２の内部導体２０とによって形成される静電容量成分と、第３の内部導体３０と第４の内部導体４０とによって形成される静電容量成分とを、合計したものである。静電容量成分を形成する領域が複数存在するため、積層コンデンサ１の静電容量を充分に確保することが可能となる。第２の内部導体２０を第１の内部導体１０と同一の層に配置しているので、積層数を増やすことなく、高ＥＳＲ化及び静電容量の確保を実現することができる。第２の端子電極６を側面４ｃに配置しているので、第２の端子電極６を側面４ｅ，４ｆに配置した場合と比べて、第２の端子電極６から第２及び第４の内部導体２０，４０の端部までの長さを短くすることができる。これにより第２の端子電極６から第２及び第４の内部導体２０，４０の端部に至る電流経路が短くなるので、低ＥＳＬ化を図ることができる。
【００４５】
また、第１実施形態に係る積層コンデンサ１によれば、第３の内部導体３０の引き出し部３２，３３の幅Ｗ５，Ｗ６が第３の内部導体３０の長さＷ７，Ｗ８よりも小さくなっている。よって第３の内部導体３０の電流経路上において該経路の幅が絞られる箇所が形成されることになるため、積層コンデンサのＥＳＲを更に高めることができる。
【００４６】
また、第１実施形態に係る積層コンデンサ１によれば、第１の内部導体１０の第２の部分１１は、積層体４の側面４ｄに沿って伸びると共に、側部が側面４ｄから露出している。第２の部分１１の長手方向に伸びる側部が側面４ｄから露出しているので、第１の内部導体１０と側面４ｄに配置された第１の端子電極５との接触面積を増やすことができる。その結果、第１の内部導体１０と第１の端子電極５との間における接続不良を防止することができる。
（第２実施形態）
【００４７】
図５は、第２実施形態に係る積層コンデンサが備える積層体の断面図である。
【００４８】
第２実施形態に係る積層コンデンサは、第１実施形態に係る積層コンデンサ１と同じく、略直方体の積層体４と、第１及び第２の端子電極５，６と、第１及び第２の接続導体７，８とを備えている。
【００４９】
第２実施形態に係る積層コンデンサは、図５に示されるように、第２の内部導体及び第４の内部導体を複数有している点で、第１実施形態に係る積層コンデンサと異なる。より具体的には、第２実施形態に係る積層コンデンサは、複数（本実施形態では３つ）の第２の内部導体２０ａ，２０ｂ，２０ｃと、複数（本実施形態では３つ）の第４の内部導体４０ａ，４０ｂ，４０ｃと、を備えている。
【００５０】
３つの第２の内部導体２０ａ，２０ｂ，２０ｃは、第１実施形態に係る積層コンデンサにおける第２の内部導体２０を３分割したものである。第２の内部導体２０ａ，２０ｂ，２０ｃの大きさは、それぞれ異なっている。
【００５１】
第２の内部導体２０ａは、主電極部２３と引き出し部２４とからなっている。第２の内部導体２０ｂは、主電極部２５と引き出し部２６とからなっている。第２の内部導体２０ｃは、主電極部２７と引き出し部２８とからなっている。主電極部２３，２５，２７は、誘電体層９を挟んで第３の内部導体３０の主電極部３１と重なり合う部分である。主電極部２３，２５，２７と主電極部３１とが誘電体層９を挟んで重なり合うことにより、３つの静電容量成分が形成される。引き出し部２４，２６，２８は、主電極部２３，２５，２７に連結されている。また引き出し部２４，２６，２８は、積層体４の側面４ｃに引き出されて第２の端子電極６に接続されている。
【００５２】
３つの第４の内部導体４０ａ，４０ｂ，４０ｃは、第１実施形態に係る積層コンデンサにおける第４の内部導体４０を３分割したものである。４の内部導体４０ａ，４０ｂ，４０ｃの大きさは、それぞれ異なっている。
【００５３】
第４の内部導体４０ａは、主電極部４３と引き出し部４４とからなっている。第４の内部導体４０ｂは、主電極部４５と引き出し部４６とからなっている。第４の内部導体４０ｃは、主電極部４７と引き出し部４８とからなっている。主電極部４３，４５，４７は、誘電体層９を挟んで第３の内部導体３０の主電極部３１と重なり合う部分である。主電極部４３，４５，４７と主電極部３１とが誘電体層９を挟んで重なり合うことにより、３つの静電容量成分が形成される。引き出し部４４，４６，４８は、主電極部４３，４５，４７に連結されている。また引き出し部４４，４６，４８は、積層体４の側面４ｃに引き出されて第２の端子電極６に接続されている。
【００５４】
図６に第２実施形態に係る積層コンデンサの等価回路図を示す。第１の内部導体１０の第１の部分１２と第２の部分１１とによって抵抗Ｒ１が形成される。第１の内部導体１０の第２の部分１１と第３の部分１３とによって抵抗Ｒ２が形成される。第２の内部導体２０ａの主電極部２３及び第３の内部導体３０の主電極部３１によって形成される静電容量成分と、第３の内部導体３０の主電極部３１及び第４の内部導体４０ａの主電極部４３によって形成される静電容量成分とによって、静電容量成分Ｃ２が形成される。第２の内部導体２０ｂの主電極部２５及び第３の内部導体３０の主電極部３１によって形成される静電容量成分と、第３の内部導体３０の主電極部３１及び第４の内部導体４０ｂの主電極部４５によって形成される静電容量成分とによって、静電容量成分Ｃ３が形成される。第２の内部導体２０ｃの主電極部２７及び第３の内部導体３０の主電極部３１によって形成される静電容量成分と、第３の内部導体３０の主電極部３１及び第４の内部導体４０ｃの主電極部４７によって形成される静電容量成分とによって、静電容量成分Ｃ４が形成される。また一般的に、コンデンサには残留インダクタンスと残留抵抗が存在するため、これらによってインダクタンスＬ２〜４及び抵抗Ｒ４〜６が形成される。
【００５５】
第２実施形態に係る積層コンデンサによれば、第２の内部導体２０ａ，２０ｂ，２０ｃと第３の内部導体３０とにより、静電容量成分を形成する領域が３つ形成される。第２の内部導体２０ａ，２０ｂ，２０ｃは大きさがそれぞれ異なっているため、かかる３つの領域では静電容量値が互いに異なることになる。第４の内部導体４０ａ，４０ｂ，４０ｃと第３の内部導体３０とにより、静電容量成分を形成する領域が３つ形成される。第４の内部導体４０ａ，４０ｂ，４０ｃは大きさがそれぞれ異なっているため、かかる３つの領域では静電容量値が互いに異なることになる。これらの結果、積層コンデンサは静電容量値が異なる３つの静電容量成分Ｃ２〜Ｃ４を有することになる。これにより、積層コンデンサは３つの共振周波数を持つことになる。
【００５６】
図７に、第２実施形態に係る積層コンデンサの周波数に関するインピーダンス特性を表すグラフを示す。図７に示したグラフの横軸は周波数（Ｈｚ）を表し、縦軸はインピーダンス（Ω）を表す。例えば、静電容量成分Ｃ２単体のインピーダンス特性は、グラフＧ１１で表され、共振周波数ｆ１にのみインピーダンスが極小となる点を有する。静電容量成分Ｃ３単体のインピーダンス特性は、グラフＧ１２で表され、共振周波数ｆ２にのみインピーダンスが極小となる点を有する。静電容量成分Ｃ４単体のインピーダンス特性は、グラフＧ１３で表され、共振周波数ｆ３にのみインピーダンスが極小となる点を有する。積層コンデンサは静電容量成分Ｃ２〜Ｃ４を有しているため、積層コンデンサとしてのインピーダンス特性はグラフＧ１４で表されるものとなる。このように、第２実施形態に係る積層コンデンサによれば、１つの静電容量をもつ場合と比べ、広い周波数帯域にわたってインピーダンスを低くすることが可能となる。したがって、積層コンデンサをより広帯域にわたってインピーダンスが低いものとすることができる。このような積層コンデンサを用いることにより、広い周波数帯域でノイズを効果的に低減することが可能となる。
【００５７】
続いて、図８に基づいて、第２実施形態の変形例について説明する。図８は、第２実施形態の変形例に係る積層コンデンサが備える積層体の断面図である。本変形例に係る積層コンデンサでは、第１の内部導体１０及び第３の内部導体３０の形状が第２実施形態と異なっている。
【００５８】
本変形例の第１の内部導体１０は、第１の部分１２と第２の部分１１とからなっている。本変形例の第１の内部導体１０は、先の実施形態において第１の内部導体１０が有していた第３の部分１３を有していない。本変形例の第３の内部導体３０は、主電極部３１と引き出し部３２とからなっている。本変形例の第３の内部導体３０は、先の実施形態において第３の内部導体３０が有していた引き出し部３３を有していない。
【００５９】
このような積層コンデンサでも、第２実施形態に係る積層コンデンサと同じ効果を得ることができる。なお、第１及び第３の内部導体１０，３０が第３の部分１３及び引き出し部３３を有していないことから、積層コンデンサ１は第２の接続導体８を備えていなくてもよい。
【００６０】
続いて、図９に基づいて、第２実施形態の変形例について説明する。図９は、第２実施形態の変形例に係る積層コンデンサが備える積層体の断面図である。本変形例に係る積層コンデンサでは、第１の内部導体１０及び第３の内部導体３０の形状が第２実施形態と異なっている。
【００６１】
本変形例の第１の内部導体１０は、第２の部分１１と第３の部分１３とからなっている。本変形例の第１の内部導体１０は、先の実施形態において第１の内部導体１０が有していた第１の部分１２を有していない。本変形例の第３の内部導体３０は、主電極部３１と引き出し部３３とからなっている。本変形例の第３の内部導体３０は、先の実施形態において第３の内部導体３０が有していた引き出し部３２を有していない。
【００６２】
このような積層コンデンサでも、第２実施形態に係る積層コンデンサと同じ効果を得ることができる。なお、第１及び第３の内部導体１０，３０が第１の部分１２及び引き出し部３２を有していないことから、積層コンデンサ１は第１の接続導体７を備えていなくてもよい。
【００６３】
以上、本発明の好適な実施形態について説明してきたが、本発明は必ずしも上述した実施形態に限定されるものではなく、その要旨が逸脱しない範囲で様々な変更が可能である。
【００６４】
例えば、第４の内部導体４０と同じ形状の内部電極と第３の内部導体３０と同じ形状の内部電極とをそれぞれ複数備え、これらの内部電極を誘電体層９を介して交互に積層させるとしてもよい。この場合、積層コンデンサの静電容量を更に増加させることが可能となる。
【００６５】
また、第１の実施形態において、第１の内部導体１０は第１〜第３の部分１２，１１，１３を有するとしたが、第１及び第２の部分１２，１１のみを有するとしてもよい。また、第１の内部導体１０は第２及び第３の部分１１，１３のみを有するとしてもよい。第１及び第２の部分１２，１１のみを有する場合、積層コンデンサ１は第２の接続導体８を備えていなくてもよい。第２及び第３の部分１１，１３のみを有する場合、積層コンデンサ１は第１の接続導体７を備えていなくてもよい。
【００６６】
また、第４の内部導体４０と同一の層に第５の内部導体を備えるとしてもよい。図１０に示される第５の内部導体５０は、第４の部分５２と、第５の部分５１と、第６の部分５３とからなっている。第４の部分５２は、積層体４の側面４ｄから側面４ｅに向かって伸びており、第１の端子電極５と第１の接続導体７とに接続されている。第５の部分５１は積層体４の側面４ｄに沿って伸び、側部が側面４ｄから露出している。第６の部分５３は、積層体４の側面４ｄから側面４ｆに向かって伸びており、第１の端子電極５と第２の接続導体８とに接続されている。第４及び第６の部分５２，５３の幅Ｗ１１，Ｗ１２は、側面４ａ，４ｂの長辺方向での主電極部４１の長さＷ１３及び側面４ａ，４ｂの短辺方向での主電極部４１の長さＷ１４よりも小さくなっている。このように細い部分を有する第５の内部導体５０を更に備えることで、積層コンデンサのＥＳＲをいっそう高めることができる。
【００６７】
また、第２実施形態において、積層コンデンサは３つの第２の内部導体２０ａ，２０ｂ，２０ｃと３つの第４の内部導体４０ａ，４０ｂ，４０ｃとを備えているとしたが、第２及び第４の内部導体の数はこれに限られない。
【図面の簡単な説明】
【００６８】
【図１】第１実施形態に係る積層コンデンサの斜視図である。
【図２】第１実施形態に係る積層コンデンサが備える積層体の断面図である。
【図３】第１実施形態に係る積層コンデンサが備える積層体の断面図である。
【図４】第１実施形態に係る積層コンデンサの等価回路図である。
【図５】第２実施形態に係る積層コンデンサが備える積層体の断面図である。
【図６】第２実施形態に係る積層コンデンサの等価回路図である。
【図７】第２実施形態に係る積層コンデンサのインピーダンス特性を表す図表である。
【図８】第２実施形態の変形例に係る積層コンデンサが備える積層体の断面図である。
【図９】第２実施形態の変形例に係る積層コンデンサが備える積層体の断面図である。
【図１０】第５の内部導体を示す図である。
【符号の説明】
【００６９】
１…積層コンデンサ、４…積層体、４ａ〜４ｆ…側面、５…第１の端子電極、６…第２の端子電極、７…第１の接続導体、８…第２の接続導体、９…誘電体層、１０…第１の内部導体、２０，２０ａ，２０ｂ，２０ｃ…第２の内部導体、３０…第３の内部導体、４０，４０ａ，４０ｂ，４０ｃ…第４の内部導体、５０…第５の内部導体。
【図１】
0004475338.tif 000002
【図２】
0004475338.tif 000003
【図３】
0004475338.tif 000004
【図４】
0004475338.tif 000005
【図５】
0004475338.tif 000006
【図６】
0004475338.tif 000007
【図７】
0004475338.tif 000008
【図８】
0004475338.tif 000009
【図９】
0004475338.tif 000010
【図１０】
0004475338.tif 000011